(57)【要約】【課題】効率的にＵＲＬＬＣにおけるランク数を制限し効率的な伝送を行うこと。【解決手段】端末装置の上位層処理部では、ＲＲＣパラメータによってＵＲＬＬＣ用のテーブルが設定された場合、端末装置の上りリンク制御信号生成部は、ランクインディケータの値として１〜４のみを基地局装置に通知する。これにより基地局装置の制御部は端末装置に対しランク数が１〜４のみの伝送を行うことになり、シングルコードワードの伝送のみを行えるようになる。【選択図】図２
2019186673.tif 000002
【特許請求の範囲】
【請求項１】
基地局装置と通信を行う端末装置であって、
CQIテーブルに関するRRCパラメータが第1のCQIテーブルを示す場合は、ランクインディケータ制限に関するビットマップパラメータが形成するビット系列によって指定されるレイヤ数に関連付いたプリコーダに対応するPMIとRIのレポーティングが禁止され、
CQIテーブルに関するRRCパラメータが第2のCQIテーブルを示す場合は、ランクインディケータ制限に関するビットマップパラメータが形成するビット系列によって指定されるレイヤ数に関連付いたプリコーダに対応するPMIとRIのレポーティングと、4より多いレイヤ数に関連付いたプリコーダに対応するPMIとRIのレポーティングの両方が禁止される端末装
置。
【請求項２】
前記端末装置は、
CQIテーブルに関するRRCパラメータが第1のCQIテーブルを示す場合は、さらにCSIレポー
ト毎のCQI数の最大値を示すRRCパラメータが1以外に設定された場合、前記ランクインデ
ィケータはランクインディケータ制限に関するビットマップパラメータが形成するビット系列にしたがった許容ランクインディケータ数とし、
CQIテーブルに関するRRCパラメータが第2のCQIテーブルを示す場合は、前記ランクインディケータは上位レイヤパラメータであるランクインディケータ制限の4LSBの中の許容ランクインディケータ数とする、請求項1記載の端末装置。
【請求項３】
端末装置と通信を行う基地局装置であって、
MCSテーブルに関するRRCパラメータが第1のMCSテーブルを示す場合は、DCIによってスケ
ジュールされるコードワード数の最大値に関するRRCパラメータによる制限に基づいて、PDSCHに使用されるプリコーディングを決定し、
MCSテーブルに関するRRCパラメータが第2のMCSテーブルを示す場合は、DCIによってスケ
ジュールされるコードワード数の最大値に関するRRCパラメータと、コードワード数を1にするという制限の両方に基づいてPDSCHに使用されるプリコーディング行列インディケー
タを決定する基地局装置。
【発明の詳細な説明】
【技術分野】
【０００１】
本発明は、端末装置、基地局装置およびその通信方法に関する。
【背景技術】
【０００２】
３ＧＰＰ（Third Generation Partnership Project）で仕様化されているＬＴＥ（Long Term Evolution）の通信システムでは、下りリンクにおいて、伝搬路（チャネル）状態に応じて符号化率、変調方式、ランク（ストリーム数、レイヤ数）を適応的に制御する適応変調（Link adaptation, Rank adaptation）が適用される。適応変調を行うことで、チャネル品質に応じて適切な伝送レートでの伝送が可能となる。
【０００３】
下りリンクで適応変調を行うには、基地局装置が端末装置におけるチャネル品質を把握し、そのチャネル品質に応じて、符号化率、変調方式あるいはランクを決定する必要がある。ＦＤＤシステムの場合、基地局装置が参照信号を送信し、端末装置が受信した参照信号を用いてチャネル品質を算出し、算出されたチャネル品質を端末装置が基地局装置に送信する。算出されたチャネル品質を端末装置が基地局装置に送信することは、ＬＴＥではＣＳＩ（Channel State Information）レポーティングと呼ばれている。チャネル品質情
報（ＣＳＩ）には、ＣＱＩ（Channel Quality Information）やＲＩ（Rank Indicator）、ＰＭＩ（Precoding Matrix Indicator）が含まれる。端末装置は算出されたチャネル品質から、ＣＱＩテーブルを用いてＣＱＩを算出し基地局装置に通知する。
【０００４】
３ＧＰＰでは、超高速伝送を目的とするｅＭＢＢ（enhanced Mobile Broad Band）、高信頼低遅延を目的とするＵＲＬＬＣ（Ultra-Reliable and Low Latency Communications）、多数端末の収容を目的とするｍＭＴＣ（massive Machine-Type Communications）を
ユースケースとし、第５世代移動通信(New Radio、ＮＲ)の標準化を行っている。ＮＲにおいてもＬＴＥと同様、ＣＳＩレポーティングを行うが、ＣＱＩテーブルとしてＱＰＳＫ、１６ＱＡＭ、６４ＱＡＭを含むテーブルと、ＱＰＳＫ、１６ＱＡＭ、６４ＱＡＭ、２５６ＱＡＭを含むテーブルが定義され、さらにＵＲＬＬＣ用のＣＱＩテーブルも定義されることが合意されている（非特許文献１、非特許文献２）。さらに、リリース１５のＵＲＬＬＣでは、トランスポートブロック数（つまりコードワード数）を１に限定することが合意されている（非特許文献３）。
【先行技術文献】
【非特許文献】
【０００５】
【非特許文献１】Nokia, Nokia Shanghai Bell,“Remaining details of CQI and MCS”、R1-1800753．
【非特許文献２】NTT DOCOMO，“Remaining issues on CQI and MCS”、R1-1800662．
【非特許文献３】3GPP，Chairman's Notes RAN1 92．
【発明の概要】
【発明が解決しようとする課題】
【０００６】
ＵＲＬＬＣのコードワード数を１に限定するためには、端末装置と基地局装置に制限を与える必要がある。
【０００７】
本発明はこのような事情を鑑みてなされたものであり、その目的は、ＵＲＬＬＣのコードワード数を１に限定するために、制御信号のビット数の削減等、効率的な制御方法を提供することにある。
【課題を解決するための手段】
【０００８】
上述した課題を解決するために本発明に係る基地局装置、端末装置および通信方法の構成は、次の通りである。
【０００９】
（１）本発明の一態様は、基地局装置と通信を行う端末装置であって、CQIテーブルに関するRRCパラメータが第1のCQIテーブルを示す場合は、ランクインディケータ制限に関するビットマップパラメータが形成するビット系列によって指定されるレイヤ数に関連付いたプリコーダに対応するPMIとRIのレポーティングが禁止され、CQIテーブルに関するRRCパラメータが第2のCQIテーブルを示す場合は、ランクインディケータ制限に関するビッ
トマップパラメータが形成するビット系列によって指定されるレイヤ数に関連付いたプリコーダに対応するPMIとRIのレポーティングと、4より多いレイヤ数に関連付いたプリコーダに対応するPMIとRIのレポーティングの両方が禁止される。
（２）本発明の一態様は、基地局装置と通信を行う端末装置であって、前記端末装置は、CQIテーブルに関するRRCパラメータが第1のCQIテーブルを示す場合は、さらにCSIレポート毎のCQI数の最大値を示すRRCパラメータが1以外に設定された場合、前記ランクイン
ディケータはランクインディケータ制限に関するビットマップパラメータが形成するビット系列にしたがった許容ランクインディケータ数とし、CQIテーブルに関するRRCパラメータが第2のCQIテーブルを示す場合は、前記ランクインディケータは上位レイヤパラメータであるランクインディケータ制限の4LSBの中の許容ランクインディケータ数とする。
（３）本発明の一態様は、基地局装置と通信を行う端末装置であって、端末装置と通信を行う基地局装置であって、MCSテーブルに関するRRCパラメータが第1のMCSテーブルを示す場合は、DCIによってスケジュールされるコードワード数の最大値に関するRRCパラメータによる制限に基づいて、PDSCHに使用されるプリコーディングを決定し、MCSテーブルに関するRRCパラメータが第2のMCSテーブルを示す場合は、DCIによってスケジュールされるコードワード数の最大値に関するRRCパラメータと、コードワード数を1にするという制限の両方に基づいてPDSCHに使用されるプリコーディング行列インディケータを決定する。
【発明の効果】
【００１０】
本発明の一又は複数の態様によれば、基地局装置及び端末装置は、ＵＲＬＬＣ等のために適切な制御を行うことができる。
【図面の簡単な説明】
【００１１】
【図１】第１の実施形態に係る通信システム１の構成例を示す図である。
【図２】第１の実施形態に係る基地局装置の構成例を示す図である。
【図３】第１の実施形態に係る端末装置の構成例を示す図である。
【図４】第１の実施形態に係る第１のＣＱＩテーブルを示す図である。
【図５】第１の実施形態に係る第２のＣＱＩテーブルを示す図である。
【図６】第１の実施形態に係る第３のＣＱＩテーブルを示す図である。
【図７】第１の実施形態に係る第１のＭＣＳテーブルを示す図である。
【図８】第１の実施形態に係る第２のＭＣＳテーブルを示す図である。
【図９】第１の実施形態に係る第３のＭＣＳテーブルを示す図である。
【図１０】第１の実施形態に係る第３のＭＣＳテーブルの別例を示す図である。
【発明を実施するための形態】
【００１２】
本実施形態に係る通信システムは、基地局装置（セル、スモールセル、サービングセル、コンポーネントキャリア、ｅＮｏｄｅＢ、Ｈｏｍｅ  ｅＮｏｄｅＢ、ｇＮｏｄｅＢ）および端末装置（端末、移動端末、ＵＥ:User Equipment）を備える。該通信システムにおいて、下りリンクの場合、基地局装置は送信装置（送信点、送信アンテナ群、送信アンテナポート群、ＴＲＰ(Tx/Rx Point)）となり、端末装置は受信装置（受信点、受信端末、受信アンテナ群、受信アンテナポート群）となる。上りリンクの場合、基地局装置は受信装置となり、端末装置は送信装置となる。前記通信システムは、Ｄ２Ｄ（Device-to-Device、sidelink）通信にも適用可能である。その場合、送信装置も受信装置も共に端末装置になる。
【００１３】
前記通信システムは、人間が介入する端末装置と基地局装置間のデータ通信に限定されるものではなく、ＭＴＣ（Machine Type Communication）、Ｍ２Ｍ通信（Machine-to-Machine Communication）、ＩｏＴ（Internet of Things）用通信、ＮＢ−ＩｏＴ（Narrow Band-IoT）等（以下、ＭＴＣと呼ぶ）の人間の介入を必要としないデータ通信の形態にも、適用することができる。この場合、端末装置がＭＴＣ端末となる。前記通信システムは、上りリンク及び下りリンクにおいて、ＣＰ−ＯＦＤＭ（Cyclic Prefix - Orthogonal Frequency Division Multiplexing）等のマルチキャリア伝送方式を用いることができる。前記通信システムは、上りリンクにおいて、ＤＦＴＳ−ＯＦＤＭ（Discrete Fourier Transform Spread - Orthogonal Frequency Division Multiplexing、SC-FDMAとも称される）等の伝送方式を用いてもよい。なお、以下では、上りリンク及び下りリンクにおいて、ＯＦＤＭ伝送方式を用いた場合で説明するが、これに限らず、他の伝送方式を適用することができる。
【００１４】
本実施形態における基地局装置及び端末装置は、無線事業者がサービスを提供する国や地域から使用許可（免許）が得られた、いわゆるライセンスバンド（licensed band）と呼ばれる周波数バンド、及び／又は、国や地域からの使用許可（免許）を必要としない、いわゆるアンライセンスバンド（unlicensed band）と呼ばれる周波数バンドで通信する
ことができる。
【００１５】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００１６】
（第１の実施形態）
図１は、本実施形態に係る通信システム１の構成例を示す図である。本実施形態における通信システム１は、基地局装置１０、端末装置２０を備える。カバレッジ１０ａは、基地局装置１０が端末装置２０と接続可能な範囲（通信エリア）である（セルとも呼ぶ）。なお、基地局装置１０は、カバレッジ１０ａにおいて、複数の端末装置２０を収容することができる。
【００１７】
図１において、上りリンク無線通信ｒ３０は、少なくとも以下の上りリンク物理チャネルを含む。上りリンク物理チャネルは、上位層から出力された情報を送信するために使用される。
・物理上りリンク制御チャネル（ＰＵＣＣＨ）
・物理上りリンク共有チャネル（ＰＵＳＣＨ）
・物理ランダムアクセスチャネル（ＰＲＡＣＨ）
【００１８】
ＰＵＣＣＨは、上りリンク制御情報（Uplink Control Information: UCI）を送信するために用いられる物理チャネルである。上りリンク制御情報は、下りリンクデータ（Downlink transport block, Medium Access Control Protocol Data Unit: MAC PDU, Downlink-Shared Channel: DL-SCH, Physical Downlink Shared Channel: PDSCH）に対する肯定
応答（positive acknowledgement: ACK）／否定応答（Negative acknowledgement: NACK）を含む。ＡＣＫ／ＮＡＣＫは、ＨＡＲＱ−ＡＣＫ（Hybrid Automatic Repeat request ACKnowledgement）、ＨＡＲＱフィードバック、ＨＡＲＱ応答、または、ＨＡＲＱ制御情
報、送達確認を示す信号とも称される。
【００１９】
ＮＲは、少なくともＰＵＣＣＨフォーマット０、ＰＵＣＣＨフォーマット１、ＰＵＣＣＨフォーマット２、ＰＵＣＣＨフォーマット３、ＰＵＣＣＨフォーマット４という５つのフォーマットをサポートする。ＰＵＣＣＨフォーマット０およびＰＵＣＣＨフォーマット２は、１または２のＯＦＤＭシンボルから構成され、それ以外のＰＵＣＣＨは４〜１４のＯＦＤＭシンボルから構成される。またＰＵＣＣＨフォーマット０およびＰＵＣＣＨフォーマット１の帯域幅１２サブキャリアから構成される。また、ＰＵＣＣＨフォーマット０では、１２サブキャリアかつ１ＯＦＤＭシンボル（あるいは２ＯＦＤＭシンボル）のリソースエレメントで１ビット（あるいは２ビット）のＡＣＫ／ＮＡＣＫが送信される。
【００２０】
上りリンク制御情報は、初期送信のためのＰＵＳＣＨ（Uplink-Shared Channel: UL-SCH）リソースを要求するために用いられるスケジューリングリクエスト（Scheduling Request: SR）を含む。スケジューリングリクエストは、初期送信のためのＵＬ−ＳＣＨリソ
ースを要求することを示す。
【００２１】
上りリンク制御情報は、下りリンクのチャネル状態情報（Channel State Information: CSI）を含む。前記下りリンクのチャネル状態情報は、好適な空間多重数（レイヤ数）を示すランク指標（Rank Indicator: RI）、好適なプレコーダを示すプレコーディング行列指標（Precoding Matrix Indicator: PMI）、好適な伝送レートを指定するチャネル品質
指標（Channel Quality Indicator: CQI）などを含む。前記ＰＭＩは、端末装置によって決定されるコードブックを示す。該コードブックは、物理下りリンク共有チャネルのプレコーディングに関連する。
【００２２】
ＮＲでは、上位層パラメータＲＩ制限を設定することができる。ＲＩ制限には複数の設定パラメータが存在し、１つはタイプ１シングルパネルＲＩ制限であり、8ビットで構成される。ビットマップパラメータであるタイプ１シングルパネルＲＩ制限は、ビット系列ｒ７、…ｒ２、ｒ１を形成する。ここでｒ７、はＭＳＢ（Most Significant Bit）であり、ｒ０、はＬＳＢ（Least Significant Bit）である。ｒiがゼロの時（ｉは０、１、…７）、i＋１レイヤに関連付いたプリコーダに対応するＰＭＩとＲＩレポーティングは許容されない。ＲＩ制限にはタイプ１シングルパネルＲＩ制限の他にタイプ１マルチパネルＲＩ制限があり、4ビットで構成される。ビットマップパラメータであるタイプ１マルチパネルＲＩ制限は、ビット系列ｒ４、ｒ３、ｒ２、ｒ１を形成する。ここでｒ４、はＭＳＢであり、ｒ０、はＬＳＢである。ｒiがゼロの時（ｉは０、１、２、３）、i＋１レイヤに関連付いたプリコーダに対応するＰＭＩとＲＩレポーティングは許容されない。
【００２３】
前記ＣＱＩは、所定の帯域における好適な変調方式（例えば、ＱＰＳＫ、１６ＱＡＭ、６４ＱＡＭ、２５６ＱＡＭＡＭなど）、符号化率（coding rate）、および周波数利用効
率を指し示すインデックス（ＣＱＩインデックス）を用いることができる。端末装置は、ＰＤＳＣＨのトランスポートブロックが所定のブロック誤り確率（ＢＬＥＲ、例えば、誤り率０．１）を超えずに受信可能であろうＣＱＩインデックスをＣＱＩテーブルから選択する。ただしＢＬＥＲは上位層パラメータで設定可能であり、０．０００００１、０．００００１、０．０００１、０．００１や０．０１等の値を設定可能である。ＢＬＥＲの値は上記に限らず、どのような値であってもよい。
【００２４】
次に参照するＣＱＩテーブルについて説明を行う。ＮＲにおいてＣＱＩテーブルは複数用意されており、どのＣＱＩテーブルを用いるかは上位層処理部２０２のＲＲＣパラメータである“ｃｑｉ−Ｔａｂｌｅ”によって設定される。なお、ＲＲＣパラメータ“ｃｑｉ−Ｔａｂｌｅ”は基地局装置の上位層処理部１０２で生成され、無線送信部１０７０を介して端末装置に通知される。テーブルの数として、本実施形態では３つの場合を想定する
が、４つであってもよいし、どのような数であってもよい。テーブルの一つは図４に示すテーブルであり、ＱＰＳＫ、１６ＱＡＭ、６４ＱＡＭを含むＣＱＩテーブル（第１のＣＱＩテーブル、６４ＱＡＭ  ＣＱＩテーブル）である。なお、変調の列は変調方式を表し、効率の列は周波数利用効率（あるいはスペクトル効率とも呼ぶ）を表している。またもう一つは図５に示すテーブルであり、ＱＰＳＫ、１６ＱＡＭ、６４ＱＡＭ、２５６ＱＡＭを含むＣＱＩテーブル（第２のＣＱＩテーブル、２５６ＱＡＭ  ＣＱＩテーブル）である。さらにＵＲＬＬＣ用のＣＱＩテーブルとして、ＱＰＳＫ、１６ＱＡＭ、６４ＱＡＭを含むＣＱＩテーブル（第３のＣＱＩテーブル、ＵＲＬＬＣ  ＣＱＩテーブル）がサポートされる。なお上述したように、テーブルの数は上記に限定されず、さらにＵＲＬＬＣ用のＣＱＩテーブルとして、ＱＰＳＫ、１６ＱＡＭ、６４ＱＡＭ、２５６ＱＡＭを含むＣＱＩテーブル（第４のＣＱＩテーブル、ＵＲＬＬＣ２  ＣＱＩテーブル）がサポートされてもよい。図６に第３のＣＱＩテーブルの一例を示す。ここで第１のＣＱＩテーブルと第３のＣＱＩテーブルの差としては、図に示すように、第３のＣＱＩテーブルの最低の周波数利用効率の値が、第１のＣＱＩテーブルよりも低い点が挙げられる。なお、図６では変調が４以下、つまり１６ＱＡＭ以下のみで構成されているが、変調が６以上、つまり６４ＱＡＭ以上の返照方式を含んでもよい。また図には示していないが、第３のＣＱＩテーブルが、第１および第２のＣＱＩテーブルとは異なるインデックス数（ビット数）を持っていてもよい。ＵＲＬＬＣ用のＣＱＩテーブルである第３のＣＱＩテーブルがＲＲＣパラメータ“ｃｑｉ−Ｔａｂｌｅ”として設定された場合、別途、目標ＢＬＥＲ（ブロック誤り率）として０．１以下の値が設定されてもよい。
【００２５】
ＵＲＬＬＣでは、高信頼低遅延を目標とするため、ランク数を限定することが考えられ、３ＧＰＰではＵＲＬＬＣはシングルコードワードに限定することが合意された。ＮＲではランク数が１から４の時、シングルコードワード（コードワード数が１）とし、ランク数が５から８の時、ダブルコードワード（コードワード数が２）とすることが決まっている。そこで、端末装置の上位層処理部２０２では、ＲＲＣパラメータ“ｃｑｉ−Ｔａｂｌｅ”によって第３のＣＱＩテーブルが設定された場合、端末装置の上りリンク制御信号生成部２０６６は、ＲＩの値として１〜４のみを基地局装置に通知する。これにより基地局装置の制御部は端末装置に対しランク数が１〜４のみの伝送を行うことになり、シングルコードワードの伝送のみを行えるようになる。ＲＲＣシグナリングによって第３のＣＱＩテーブルが設定された場合、端末装置の制御部はＰＤＳＣＨのランク数が４より大きい値になることを期待しない。このように基地局に通知するＲＩに制限が与えられることで、ＲＩの通知のためのビット数（ビット幅）を削減することができるため、効率的な伝送を行うことができる。
【００２６】
ＲＩ制限によってレイヤ数（ランク数）に制限を与えることができる。したがって、端末装置は、ＲＲＣシグナリングによって第１あるいは第２のＣＱＩテーブルが設定された場合、ＲＲＣパラメータであるＲＩ制限を考慮して、ＣＳＩとして基地局装置に通知するＲＩの値を決定する。一方、端末装置は、ＲＲＣシグナリングによって第３のＣＱＩテーブルが設定された場合、ＲＲＣパラメータであるＲＩ制限とランク数が１〜４という条件を両方とも考慮して、ＣＳＩとして基地局装置に通知するＲＩの値を決定する。あるいは、ＲＲＣシグナリングによって第３のＣＱＩテーブルが設定されていても、ＲＩ制限によってランク数が１〜４に制限されていない場合、ＲＲＣシグナリングによって目標ＢＬＥＲ（ブロック誤り率）として０．１以外の値が設定されていても、目標ＢＬＥＲが０．１としてＣＱＩを算出してもよい。
【００２７】
ＮＲには、ＣＳＩレポーティング毎のＣＱＩの数の最大値を規定するＲＲＣパラメータ（ｎｒｏｆＣＱＩｓＰｅｒＲｅｐｏｒｔ、またはＮｕｍｂｅｒ＿ＣＱＩ）が仕様化されている。端末装置が‘１’にセットされた上位層設定パラメータＮｕｍｂｅｒ−ＣＱＩが設定された場合、ＣＳＩレポーと毎に１つのコードワードに関してシングルＣＱＩがレポー
トされる。‘２’が設定された場合、ＣＳＩレポート毎に各コードワードについて１つのＣＱＩがレポートされる。Ｎｕｍｂｅｒ−ＣＱＩはＲｅｐｏｒｔＣｏｎｆｉｇの中に含まれる。
【００２８】
上位層パラメータ“Ｎｕｍｂｅｒ＿ＣＱＩ”が設定されない、もしくはＮｕｍｂｅｒ＿ＣＱＩ＝１、あるいはＲＲＣシグナリングによって第３のＣＱＩテーブルが設定された場合、パラメータｎ＿ＲＩは上位レイヤパラメータであるタイプ１シングルパネルＲＩ制限の４ＬＳＢ中の許容されるランクインディケータ値の数となる。この場合、端末装置の上りリンク制御信号生成部２０６６は、１つのＣＱＩを基地局装置に通知する。一方、そのＲＲＣパラメータが２（ｎ２）、あるいはＲＲＣシグナリングによって第１あるいは第２のＣＱＩテーブルが設定された場合、パラメータｎ＿ＲＩは上位レイヤパラメータであるタイプ１シングルパネルＲＩ制限の４ＬＳＢに制限されず、端末装置の上りリンク制御信号生成部２０６６は、２つのＣＱＩを基地局装置に通知する。ＲＲＣシグナリングによって第１あるいは第２のＣＱＩテーブルが設定された場合、ＣＱＩの数の最大値を規定するＲＲＣパラメータに基づき、端末装置の上りリンク制御信号生成部２０６６は、ＲＩの値を基地局装置に通知する。つまり、ＣＱＩの数の最大値を規定するＲＲＣパラメータが１に設定されている場合、ＲＩの値としては１〜４に制限され、ＣＱＩの数の最大値を規定するＲＲＣパラメータが２に設定された場合、ＲＩの値の制限はない。ただし、別のＲＲＣパラメータであるＲＩ制限も別途考慮され、ＲＩは算出される。一方、ＲＲＣシグナリングによって第３のＣＱＩテーブルが設定された場合、ＣＱＩの数の最大値を規定するＲＲＣパラメータに依らず、端末装置の上りリンク制御信号生成部２０６６は、ＲＩの値として１〜４を選択し、基地局装置に通知する。ただし、別のＲＲＣパラメータであるＲＩ制限も別途考慮され、ＲＩは算出される。このようにＣＱＩテーブルを示すＲＲＣによってＲＩに制限を与えることで、ＣＱＩテーブルを示すＲＲＣ以外のＲＲＣパラメータを変更せずに、シングルコードワードのＵＲＬＬＣを実現することができる。
【００２９】
なお、ＵＲＬＬＣを行うかどうかの基準として、上述ではＣＱＩテーブルを示すＲＲＣパラメータを用いたが、これに限らず、目標ＢＬＥＲを示すＲＲＣパラメータが０．１か０．１より小さな値かによって、ＵＲＬＬＣを行うか否かを決定してもよい。あるいはＣＱＩテーブルを示すＲＲＣパラメータおよび目標ＢＬＥＲを示すＲＲＣパラメータの２つを考慮してＵＲＬＬＣを行うか否かを決定してもよい。ＵＲＬＬＣを行う場合、コードワード数は１に制限され、ランク数も１〜４に制限される。
【００３０】
次に基地局装置について説明を行う。下りリンク制御信号生成部は、上位層処理部１０２でトランスポートブロック誤り率が設定された場合、端末装置がＣＳＩ算出時に仮定した条件を考慮してＭＣＳインデックスを設定し、ＤＣＩとして端末装置に通知（送信）する。ＭＣＳインデックスは、ＭＣＳテーブルを用いて設定されるが、ＮＲにおいてＭＣＳテーブルは複数存在し、ＲＲＣパラメータ“ｍｃｓ−Ｔａｂｌｅ”で設定され、そのＲＲＣパラメータは無線送信部１０７０を介して送信される。ＭＣＳテーブルの一つは図７に示すようにＱＰＳＫ、１６ＱＡＭ、６４ＱＡＭを含むＭＣＳテーブル（第１のＭＣＳテーブル、６４ＱＡＭ  ＭＣＳテーブル）であり、もう一つは図８のようなＱＰＳＫ、１６ＱＡＭ、６４ＱＡＭ、２５６ＱＡＭを含むＭＣＳテーブル（第２のＭＣＳテーブル、２５６ＱＡＭ  ＭＣＳテーブル）である。なお、変調オーダーの列は変調方式の次数を表し、２はＱＰＳＫ、４は１６ＱＡＭ、６は６４ＱＡＭ、８は２５６ＱＡＭを表す。周波数効率の列は周波数利用効率（あるいはスペクトル効率とも呼ぶ）を表している。さらにＵＲＬＬＣ用のＭＣＳテーブルとして、ＱＰＳＫ、１６ＱＡＭ、６４ＱＡＭを含むＭＣＳテーブル（第３のＭＣＳテーブル、ＵＲＬＬＣ  ＭＣＳテーブル）がサポートされてもよい。図９に第３のＭＣＳテーブルの一例を示す。ここで第１のＭＣＳテーブルと第３のＭＣＳテーブルの差としては、第３のＭＣＳテーブルの最低の周波数利用効率の値が、第１および第２のＭＣＳテーブルよりも低い点が挙げられる。図１０に示すように、第３のＭＣＳテー
ブルが、第１および第２のＭＣＳテーブルとは異なるインデックス数（ビット数）を持っていてもよい。図１０では１６ＱＡＭ（変調オーダー４）までで構成されているが、６４ＱＡＭ（変調オーダー６）を含むＭＣＳテーブルであってもよい。
【００３１】
ＮＲでは、ＣＱＩのテーブル選択とＭＣＳテーブルの選択は独立に行える仕様になっている。ｅＭＢＢ用のＣＱＩテーブルである第１あるいは第２のＣＱＩテーブルがＲＲＣパラメータとして設定された場合、基地局装置の制御部１０４はＭＣＳとしてＲＲＣで設定されたＭＣＳテーブルを用いてＰＤＳＣＨで使用されるＭＣＳテーブルを用いてＭＣＳインデックスを決定する。そのＭＣＳインデックスは下りリンク制御信号生成部１０６４に入力され、ＤＣＩとして端末装置に通知される。またＲＲＣによるＭＣＳテーブルの設定がない場合、６４ＱＡＭまでをサポートするＭＣＳテーブルである第１のＭＣＳテーブルを用いてＭＣＳインデックスを決定する。つまり、Ｃ−ＲＮＴＩでスクランブリングされたＣＲＣが付加されたＤＣＩフォーマットを含むＰＤＣＣＨによって割り当てられたＰＤＳＣＨに関して、もし上位層パラメータ（ＲＲＣパラメータ）が第２のＭＣＳテーブルを設定した場合、端末装置は、ＰＤＳＣＨで用いられている変調オーダー（変調方式）と目標符号化率を決定するために、基地局装置から通知されたＭＣＳインデックスと第２のＭＣＳテーブルを用いる。
【００３２】
ＮＲでは、ＤＣＩフォーマットでスケジュールされるコードワード数の最大値がＲＲＣパラメータ“ｍａｘＮｒｏｆＣｏｄｅＷｏｒｄｓＳｃｈｅｄｕｌｅｄＢｙＤＣＩ”により設定される。そのＲＲＣパラメータの値が１（ｎ１）の時は、コードワード数が１となるランクのＰＤＳＣＨが基地局装置から送信され、端末装置の受信部もコードワード数が１となるランクのＰＤＳＣＨを期待する。一方、そのＲＲＣパラメータの値が２（ｎ２）の時は、コードワード数が２となるランクのＰＤＳＣＨの基地局装置からの送信が許容され、端末装置の受信部もコードワード数が１または２となるランクのＰＤＳＣＨを期待する。ここで、そのＲＲＣパラメータが２であっても、ＲＲＣパラメータ“ｍｃｓ−Ｔａｂｌｅ”が第３のＭＣＳテーブルを示す場合、基地局装置はコードワード数が１となるランクのＰＤＳＣＨを端末装置に送信し、端末装置の受信部もコードワード数が１となるランクのＰＤＳＣＨを期待する。あるいはＲＲＣパラメータ“ｍａｘＮｒｏｆＣｏｄｅＷｏｒｄｓＳｃｈｅｄｕｌｅｄＢｙＤＣＩ”が２に設定されていてもＲＲＣパラメータ“ｍｃｓ−Ｔａｂｌｅ”が第３のＭＣＳテーブルを示す場合、コードワード数の最大値は１とする。
【００３３】
一方、ＵＲＬＬＣではＢＬＥＲが０．００００１以下となることが要求される。もしＣＱＩテーブルとして第３のＣＱＩテーブルが上位層処理部２０２で設定され、ＭＣＳテーブルとして第２のＭＣＳテーブルが上位層処理部２０２で設定された場合、基地局装置の制御部１０４は適切なＭＣＳ選択を行うことができなくなるという問題がある。そこで、上位層処理部１０２においてＵＲＬＬＣ用のＣＱＩテーブルである第３のＣＱＩテーブルがＲＲＣパラメータとして設定され、ＲＲＣによるＭＣＳテーブルの設定がない場合、制御部１０４はＵＲＬＬＣ用のＭＣＳテーブルである第３のＭＣＳテーブルを用いてＭＣＳインデックスを決定する。これにより基地局装置の制御部１０４は通知されたＣＱＩに基づいて、適切なＭＣＳを設定し、変調部１０６２はそのＭＣＳに基づいて変調を行うことができる。なお、ＵＲＬＬＣ用のＣＱＩテーブルである第３のＣＱＩテーブルがＲＲＣパラメータとして設定され、ＲＲＣによってＭＣＳテーブルとして第１あるいは第２のＭＣＳテーブルが設定された場合、ＵＲＬＬＣ用のＣＱＩテーブルとｅＭＢＢ用のＭＣＳテーブルが混在することになる。これを避けるため、基地局装置および端末装置の上位層処理部において第３のＣＱＩテーブルがＲＲＣパラメータとして設定された場合、ＲＲＣによってＭＣＳテーブルとして第１（あるいは第２）のＭＣＳテーブルが設定された場合においても、基地局装置および端末装置の制御部はＭＣＳテーブルとして第３のＭＣＳテーブルを設定し、変調あるいは復調処理を行う。
【００３４】
ＰＵＳＣＨは、上りリンクデータ（Uplink Transport Block、Uplink-Shared Channel: UL-SCH）を送信するために用いられる物理チャネルであり、伝送方式としては、ＣＰ−ＯＦＤＭ、もしくはＤＦＴ−Ｓ−ＯＦＤＭが適用される。ＰＵＳＣＨは、前記上りリンクデータと共に、下りリンクデータに対するＨＡＲＱ−ＡＣＫおよび／またはチャネル状態情報を送信するために用いられてもよい。ＰＵＳＣＨは、チャネル状態情報のみを送信するために用いられてもよい。ＰＵＳＣＨはＨＡＲＱ−ＡＣＫおよびチャネル状態情報のみを送信するために用いられてもよい。
【００３５】
ＰＵＳＣＨは、無線リソース制御（Radio Resource Control: RRC）シグナリングを送
信するために用いられる。ＲＲＣシグナリングは、ＲＲＣメッセージ／ＲＲＣ層の情報／ＲＲＣ層の信号／ＲＲＣ層のパラメータ／ＲＲＣ情報要素とも称される。ＲＲＣシグナリングは、無線リソース制御層において処理される情報／信号である。基地局装置から送信されるＲＲＣシグナリングは、セル内における複数の端末装置に対して共通のシグナリングであってもよい。基地局装置から送信されるＲＲＣシグナリングは、ある端末装置に対して専用のシグナリング（dedicated signalingとも称する）であってもよい。すなわち
、ユーザ装置スペシフィック（ユーザ装置固有）な情報は、ある端末装置に対して専用のシグナリングを用いて送信される。ＲＲＣメッセージは、端末装置のＵＥ  Ｃａｐａｂｉｌｉｔｙを含めることができる。ＵＥ  Ｃａｐａｂｉｌｉｔｙは、該端末装置がサポートする機能を示す情報である。
【００３６】
ＰＵＳＣＨは、ＭＡＣ  ＣＥ（Medium Access Control Element）を送信するために用
いられる。ＭＡＣ  ＣＥは、媒体アクセス制御層（Medium Access Control layer）にお
いて処理（送信）される情報／信号である。例えば、パワーヘッドルームは、ＭＡＣ  ＣＥに含まれ、物理上りリンク共有チャネルを経由して報告されてもよい。すなわち、ＭＡＣ  ＣＥのフィールドが、パワーヘッドルームのレベルを示すために用いられる。上りリンクデータは、ＲＲＣメッセージ、ＭＡＣ  ＣＥを含むことができる。ＲＲＣシグナリング、および／または、ＭＡＣ  ＣＥを、上位層の信号（higher layer signaling）とも称する。ＲＲＣシグナリング、および／または、ＭＡＣ  ＣＥは、トランスポートブロックに含まれる。
【００３７】
ＰＲＡＣＨは、ランダムアクセスに用いるプリアンブルを送信するために用いられる。ＰＲＡＣＨは、ランダムアクセスプリアンブルを送信するために用いられる。ＰＲＡＣＨは、初期コネクション確立（initial connection establishment）プロシージャ、ハンドオーバプロシージャ、コネクション再確立（connection re-establishment）プロシージ
ャ、上りリンク送信に対する同期（タイミング調整）、およびＰＵＳＣＨ（ＵＬ−ＳＣＨ）リソースの要求を示すために用いられる。
【００３８】
上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。上りリンク参照信号には、復調用参照信号（Demodulation Reference Signal: DMRS）、サウンディング参
照信号（Sounding Reference Signal: SRS）が含まれる。ＤＭＲＳは、物理上りリンク共有チャネル／物理上りリンク制御チャネルの送信に関連する。例えば、基地局装置１０は、物理上りリンク共有チャネル／物理上りリンク制御チャネルを復調するとき、伝搬路推定／伝搬路補正を行うために復調用参照信号を使用する。
【００３９】
ＳＲＳは、物理上りリンク共有チャネル／物理上りリンク制御チャネルの送信に関連しない。基地局装置１０は、上りリンクのチャネル状態を測定（CSI Measurement）するた
めにＳＲＳを使用する。
【００４０】
図１において、下りリンクｒ３１の無線通信では、少なくとも以下の下りリンク物理チャネルが用いられる。下りリンク物理チャネルは、上位層から出力された情報を送信するために使用される。
・物理報知チャネル（ＰＢＣＨ）
・物理下りリンク制御チャネル（ＰＤＣＣＨ）
・物理下りリンク共有チャネル（ＰＤＳＣＨ）
【００４１】
ＰＢＣＨは、端末装置で共通に用いられるマスターインフォメーションブロック（Master Information Block: MIB, Broadcast Channel: BCH）を報知するために用いられる。
ＭＩＢはシステム情報の１つである。例えば、ＭＩＢは、下りリンク送信帯域幅設定、システムフレーム番号（ＳＦＮ：System Frame number）を含む。ＭＩＢは、ＰＢＣＨが送
信されるスロットの番号、サブフレームの番号、および、無線フレームの番号の少なくとも一部を指示する情報を含んでもよい。
【００４２】
ＰＤＣＣＨは、下りリンク制御情報（Downlink Control Information: DCI）を送信す
るために用いられる。下りリンク制御情報は、用途に基づいた複数のフォーマット（ＤＣＩフォーマットとも称する）が定義される。１つのＤＣＩフォーマットを構成するＤＣＩの種類やビット数に基づいて、ＤＣＩフォーマットは定義されてもよい。各フォーマットは、用途に応じて使われる。下りリンク制御情報は、下りリンクデータ送信のための制御情報と上りリンクデータ送信のための制御情報を含む。下りリンクデータ送信のためのＤＣＩフォーマットは、下りリンクアサインメント（または、下りリンクグラント）とも称する。上りリンクデータ送信のためのＤＣＩフォーマットは、上りリンクグラント（または、上りリンクアサインメント）とも称する。
【００４３】
１つの下りリンクアサインメントは、１つのサービングセル内の１つのＰＤＳＣＨのスケジューリングに用いられる。下りリンクグラントは、該下りリンクグラントが送信されたスロットと同じスロット内のＰＤＳＣＨのスケジューリングのために少なくとも用いられてもよい。下りリンクアサインメントには、ＰＤＳＣＨのためのリソースブロック割り当て、ＰＤＳＣＨに対するＭＣＳ（Modulation and Coding Scheme）、初期送信または再送信を指示するＮＤＩ（NEW Data Indicator）、下りリンクにおけるＨＡＲＱプロセス番号を示す情報、誤り訂正符号化時にコードワードに加えられた冗長性の量を示すＲｅｄｕｄａｎｃｙ  ｖｅｒｓｉｏｎなどの下りリンク制御情報が含まれる。コードワードは、誤り訂正符号化後のデータである。下りリンクアサインメントはＰＵＣＣＨに対する送信電力制御（ＴＰＣ：Transmission Power Control）コマンド、ＰＵＳＣＨに対するＴＰＣコマンドを含めてもよい。上りリンクグラントは、ＰＵＳＣＨを繰り返し送信する回数を示すＲｅｐｅｔｉｔｏｎ  ｎｕｍｂｅｒを含めてもよい。なお、各下りリンクデータ送信のためのＤＣＩフォーマットには、上記情報のうち、その用途のために必要な情報（フィールド）が含まれる。
【００４４】
１つの上りリンクグラントは、１つのサービングセル内の１つのＰＵＳＣＨのスケジューリングを端末装置に通知するために用いられる。上りリンクグラントは、ＰＵＳＣＨを送信するためのリソースブロック割り当てに関する情報（リソースブロック割り当ておよびホッピングリソース割り当て）、ＰＵＳＣＨのＭＣＳに関する情報（ＭＣＳ／Ｒｅｄｕｎｄａｎｃｙ  ｖｅｒｓｉｏｎ）、ＤＭＲＳに施されるサイクリックシフト量、ＰＵＳＣＨの再送に関する情報、ＰＵＳＣＨに対するＴＰＣコマンド、下りリンクのチャネル状態情報（Channel State Information: CSI）要求（CSI request）、など上りリンク制御情
報を含む。上りリンクグラントは、上りリンクにおけるＨＡＲＱプロセス番号を示す情報、ＰＵＣＣＨに対する送信電力制御（ＴＰＣ：Transmission Power Control）コマンド、ＰＵＳＣＨに対するＴＰＣコマンドを含めてもよい。なお、各上りリンクデータ送信のためのＤＣＩフォーマットには、上記情報のうち、その用途のために必要な情報（フィールド）が含まれる。
【００４５】
ＰＤＣＣＨは、下りリンク制御情報に巡回冗長検査（Cyclic Redundancy Check: CRC）を付加して生成される。ＰＤＣＣＨにおいて、ＣＲＣパリティビットは、所定の識別子を用いてスクランブル（排他的論理和演算、マスクとも呼ぶ）される。パリティビットは、Ｃ−ＲＮＴＩ（Cell-Radio Network Temporary Identifier）、ＳＰＳ（Semi Persistent
Scheduling）Ｃ−ＲＮＴＩ（ＣＳ（Configured Scheduling）−ＲＮＴＩ）、Ｔｅｍｐｏｒａｒｙ  Ｃ−ＲＮＴＩ、Ｐ（Paging）−ＲＮＴＩ、ＳＩ（System Information）−ＲＮＴＩ、またはＲＡ（Random Access）−ＲＮＴＩでスクランブルされる。Ｃ−ＲＮＴＩお
よびＳＰＳ  Ｃ−ＲＮＴＩは、セル内において端末装置を識別するための識別子である。Ｔｅｍｐｏｒａｒｙ  Ｃ−ＲＮＴＩは、コンテンションベースランダムアクセス手順（contention based random access procedure）中に、ランダムアクセスプリアンブルを送信した端末装置を識別するための識別子である。Ｃ−ＲＮＴＩおよびＴｅｍｐｏｒａｒｙ  Ｃ−ＲＮＴＩは、単一のサブフレームにおけるＰＤＳＣＨ送信またはＰＵＳＣＨ送信を制御するために用いられる。ＳＰＳ  Ｃ−ＲＮＴＩ（ＣＳ−ＲＮＴＩ）は、ＰＤＳＣＨまたはＰＵＳＣＨのリソースを周期的に割り当てるために用いられる。Ｐ−ＲＮＴＩは、ページングメッセージ(Paging Channel: PCH)を送信するために用いられる。ＳＩ−ＲＮＴＩ
は、ＳＩＢを送信するために用いられる、ＲＡ−ＲＮＴＩは、ランダムアクセスレスポンス(ランダムアクセスプロシジャーにおけるメッセージ２)を送信するために用いられる。
【００４６】
ＰＤＳＣＨは、下りリンクデータ（下りリンクトランスポートブロック、DL-SCH）を送信するために用いられる。ＰＤＳＣＨは、システムインフォメーションメッセージ（System Information Block: SIBとも称する。）を送信するために用いられる。ＳＩＢの一部
又は全部は、ＲＲＣメッセージに含めることができる。
【００４７】
ＰＤＳＣＨは、ＲＲＣシグナリングを送信するために用いられる。基地局装置から送信されるＲＲＣシグナリングは、セル内における複数の端末装置に対して共通（セル固有）であってもよい。すなわち、そのセル内のユーザ装置共通な情報は、セル固有のＲＲＣシグナリングを使用して送信される。基地局装置から送信されるＲＲＣシグナリングは、ある端末装置に対して専用のメッセージ（dedicated signalingとも称する）であってもよ
い。すなわち、ユーザ装置スペシフィック（ユーザ装置固有）な情報は、ある端末装置に対して専用のメッセージを使用して送信される。
【００４８】
ＰＤＳＣＨは、ＭＡＣ  ＣＥを送信するために用いられる。ＲＲＣシグナリングおよび／またはＭＡＣ  ＣＥを、上位層の信号（higher layer signaling）とも称する。ＰＭＣＨは、マルチキャストデータ（Multicast Channel: MCH）を送信するために用いられる。
【００４９】
図１の下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００５０】
同期信号は、端末装置が、下りリンクの周波数領域および時間領域の同期を取るために用いられる。下りリンク参照信号は、端末装置が、下りリンク物理チャネルの伝搬路推定／伝搬路補正を行なうために用いられる。例えば、下りリンク参照信号は、ＰＢＣＨ、ＰＤＳＣＨ、ＰＤＣＣＨを復調するために用いられる。下りリンク参照信号は、端末装置が、下りリンクのチャネル状態の測定（ＣＳＩ  ｍｅａｓｕｒｅｍｅｎｔ）するために用いることもできる。
【００５１】
下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００５２】
ＢＣＨ、ＵＬ−ＳＣＨおよびＤＬ−ＳＣＨは、トランスポートチャネルである。ＭＡＣ層で用いられるチャネルを、トランスポートチャネルと称する。ＭＡＣ層で用いられるトランスポートチャネルの単位を、トランスポートブロック（ＴＢ：Transport Block）、
または、ＭＡＣ  ＰＤＵ（Protocol Data Unit）とも称する。トランスポートブロックは、ＭＡＣ層が物理層に渡す（deliverする）データの単位である。物理層において、トランスポートブロックはコードワードにマップされ、コードワード毎に符号化処理などが行なわれる。
【００５３】
図２は、本実施形態に係る基地局装置１０の構成の概略ブロック図である。基地局装置１０は、上位層処理部（上位層処理ステップ）１０２、制御部（制御ステップ）１０４、送信部（送信ステップ）１０６、送信アンテナ１０８、受信アンテナ１１０、受信部（受信ステップ）１１２を含んで構成される。送信部１０６は、上位層処理部１０２から入力される論理チャネルに応じて、物理下りリンクチャネルを生成する。送信部１０６は、符号化部（符号化ステップ）１０６０、変調部（変調ステップ）１０６２、下りリンク制御信号生成部（下りリンク制御信号生成ステップ）１０６４、下りリンク参照信号生成部（下りリンク参照信号生成ステップ）１０６６、多重部（多重ステップ）１０６８、および無線送信部（無線送信ステップ）１０７０を含んで構成される。受信部１１２は、物理上りリンクチャネルを検出し（復調、復号など）、その内容を上位層処理部１０２に入力する。受信部１１２は、無線受信部（無線受信ステップ）１１２０、伝搬路推定部（伝搬路推定ステップ）１１２２、多重分離部（多重分離ステップ）１１２４、等化部（等化ステップ）１１２６、復調部（復調ステップ）１１２８、復号部（復号ステップ）１１３０を含んで構成される。
【００５４】
上位層処理部１０２は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層などの物理層より上位層の処理を行なう。上位層処理部１０２は、送信部１０６および受信部１１２の制御を行なうために必要な情報を生成し、制御部１０４に出力する。上位層処理部１０２は、下りリンクデータ（DL-SCHなど）、システム情報(MIB, SIB)などを送信部１０６に出力する。なお、ＤＭＲＳ構成情報はＲＲＣ等の上位レイヤによる通知ではなく、システム情報（ＭＩＢあるいはＳＩＢ）によって端末装置に通知してもよい。
【００５５】
上位層処理部１０２は、ブロードキャストするシステム情報（MIB、又はSIBの一部）を生成、又は上位ノードから取得する。上位層処理部１０２は、ＢＣＨ／ＤＬ−ＳＣＨとして、前記ブロードキャストするシステム情報を送信部１０６に出力する。前記ＭＩＢは、送信部１０６において、ＰＢＣＨに配置される。前記ＳＩＢは、送信部１０６において、ＰＤＳＣＨに配置される。上位層処理部１０２は、端末装置固有のシステム情報(SIB)を
生成し、又は上位の―度から取得する。該ＳＩＢは、送信部１０６において、ＰＤＳＣＨに配置される。
【００５６】
上位層処理部１０２は、各端末装置のための各種ＲＮＴＩを設定する。前記ＲＮＴＩは、ＰＤＣＣＨ、ＰＤＳＣＨなどの暗号化（スクランブリング）に用いられる。上位層処理部１０２は、前記ＲＮＴＩを、制御部１０４／送信部１０６／受信部１１２に出力する。
【００５７】
上位層処理部１０２は、ＰＤＳＣＨに配置される下りリンクデータ（トランスポートブロック、DL-SCH）、端末装置固有のシステムインフォメーション（System Information Block: SIB）、ＲＲＣメッセージ、ＭＡＣ  ＣＥ、ＤＭＲＳ構成情報がＳＩＢやＭＩＢの
ようなシステム情報や、ＤＣＩで通知されない場合はＤＭＲＳ構成情報などを生成、又は上位ノードから取得し、送信部１０６に出力する。ＤＭＲＳ構成情報は、アップリンクとダウンリンク、それぞれに対して別々に設定されてもよいし、包括的に設定されるとしてもよい。上位層処理部１０２は、端末装置２０の各種設定情報の管理をする。なお、無線リソース制御の機能の一部は、ＭＡＣレイヤや物理レイヤで行われてもよい。
【００５８】
上位層処理部１０２は、端末装置がサポートする機能（UE capability）等、端末装置
に関する情報を端末装置２０（受信部１１２を介して）から受信する。端末装置２０は、自身の機能を基地局装置１０に上位層の信号（ＲＲＣシグナリング）で送信する。端末装置に関する情報は、その端末装置が所定の機能をサポートするかどうかを示す情報、または、その端末装置が所定の機能に対する導入およびテストの完了を示す情報を含む。所定の機能をサポートするかどうかは、所定の機能に対する導入およびテストを完了しているかどうかを含む。
【００５９】
端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しないようにしてよい。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知してもよい。
【００６０】
上位層処理部１０２は、受信部１１２から復号後の上りリンクデータ（ＣＲＣも含む）からDL-SCHを取得する。上位層処理部１０２は、端末装置が送信した前記上りリンクデータに対して誤り検出を行う。例えば、該誤り検出はＭＡＣ層で行われる。
【００６１】
制御部１０４は、上位層処理部１０２／受信部１１２から入力された各種設定情報に基づいて、送信部１０６および受信部１１２の制御を行なう。制御部１０４は、上位層処理部１０２／受信部１１２から入力された設定情報に基づいて、下りリンク制御情報（ＤＣＩ）を生成し、送信部１０６に出力する。例えば制御部１０４は、上位層処理部１０２／受信部１１２から入力されたＤＭＲＳに関する設定情報（ＤＭＲＳ構成１であるかＤＭＲＳ構成２であるか）を考慮して、ＤＭＲＳの周波数配置（ＤＭＲＳ構成１の場合は偶数サブキャリアあるいは奇数サブキャリア、ＤＭＲＳ構成２の場合は第０〜第２のセットのいずれか）を設定し、ＤＣＩを生成する。ＤＣＩにはＤＭＲＳの周波数配置の他、ＤＭＲＳのサイクリックシフトに関する情報、周波数領域のＯＣＣ（Orthogonal Cover Code）の
符号パターン、複数のＯＦＤＭシンボルに渡ってＤＭＲＳシンボルが設定される場合は時間領域のＯＣＣの符号パターン等が通知されてもよい。ＤＣＩにはＤＭＲＳに関する情報の他、ＭＣＳや周波数割り当てに関する情報等、様々なものが含まれる。
【００６２】
制御部１０４は、伝搬路推定部１１２２で測定されたチャネル品質情報（ＣＳＩ  Ｍｅａｓｕｒｅｍｅｎｔ結果）を考慮して、ＰＵＳＣＨのＭＣＳを決定する。制御部１０４は、前記ＰＵＳＣＨのＭＣＳに対応するＭＣＳインデックスを決定する。制御部１０４は、決定したＭＣＳインデックスをアップリンクグラントに含める。
【００６３】
送信部１０６は、上位層処理部１０２／制御部１０４から入力された信号に従って、ＰＢＣＨ、ＰＤＣＣＨ、ＰＤＳＣＨおよび下りリンク参照信号などを生成する。符号化部１０６０は、上位層処理部１０２から入力されたＢＣＨ、ＤＬ−ＳＣＨなどを、予め定めら
れた／上位層処理部１０２が決定した符号化方式を用いて、ブロック符号、畳み込み符号、ターボ符号、ポーラ符号化、ＬＤＰＣ符号などによる符号化（リピティションを含む）を行なう。符号化部１０６０は、制御部１０４から入力された符号化率に基づいて、符号化ビットをパンクチャリングする。変調部１０６２は、符号化部１０６０から入力された符号化ビットをＢＰＳＫ、ＱＰＳＫ、１６ＱＡＭ、６４ＱＡＭ、２５６ＱＡＭ、等の予め定められた／制御部１０４から入力された変調方式（変調オーダー）でデータ変調する。該変調オーダーは、制御部１０４で選択された前記ＭＣＳインデックスに基づく。
【００６４】
下りリンク制御信号生成部１０６４は、制御部１０４から入力されたＤＣＩに対してＣＲＣを付加する。下りリンク制御信号生成部１０６４は、前記ＣＲＣに対して、ＲＮＴＩを用いて暗号化（スクランブリング）を行う。さらに、下りリンク制御信号生成部１０６４は、前記ＣＲＣが付加されたＤＣＩに対してＱＰＳＫ変調を行い、ＰＤＣＣＨを生成する。下りリンク参照信号生成部１０６６は、端末装置が既知の系列を下りリンク参照信号として生成する。前記既知の系列は、基地局装置１０を識別するための物理セル識別子などの基に予め定められた規則で求まる。
【００６５】
多重部１０６８は、ＰＤＣＣＨ／下りリンク参照信号／変調部１０６２から入力される各チャネルの変調シンボルを多重する。つまり、多重部１０６８は、ＰＤＣＣＨ／下りリンク参照信号を／各チャネルの変調シンボルをリソースエレメントにマッピングする。マッピングするリソースエレメントは、前記制御部１０４から入力される下りリンクスケジューリングによって制御される。リソースエレメントは、１つのＯＦＤＭシンボルと１つのサブキャリアからなる物理リソースの最小単位である。なお、ＭＩＭＯ伝送を行う場合、送信部１０６は符号化部１０６０および変調部１０６２をレイヤ数具備する。この場合、上位層処理部１０２は、各レイヤのトランスポートブロック毎にＭＣＳを設定する。
【００６６】
無線送信部１０７０は、多重された変調シンボルなどを逆高速フーリエ変換（Inverse Fast Fourier Transform: IFFT）してＯＦＤＭシンボルを生成する。無線送信部１０７０は、前記ＯＦＤＭシンボルにサイクリックプレフィックス（cyclic prefix: CP）を付加
してベースバンドのディジタル信号を生成する。さらに、無線送信部１０７０は、前記ディジタル信号をアナログ信号に変換し、フィルタリングにより余分な周波数成分を除去し、搬送周波数にアップコンバートし、電力増幅し、送信アンテナ１０８に出力して送信する。
【００６７】
受信部１１２は、制御部１０４の指示に従って、受信アンテナ１１０を介して端末装置２０からの受信信号を検出（分離、復調、復号）し、復号したデータを上位層処理部１０２／制御部１０４に入力する。無線受信部１１２０は、受信アンテナ１１０を介して受信された上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。無線受信部１１２０は、変換したディジタル信号からＣＰに相当する部分を除去する。無線受信部１１２０は、ＣＰを除去した信号に対して高速フーリエ変換（Fast Fourier Transform: FFT）を行い、周波数領域の信号を抽出する。
前記周波数領域の信号は、多重分離部１１２４に出力される。
【００６８】
多重分離部１１２４は、制御部１０４から入力される上りリンクのスケジューリングの情報（上りリンクデータチャネル割当て情報など）に基づいて、無線受信部１１２０から入力された信号をＰＵＳＣＨ、ＰＵＣＣＨ及上りリンク参照信号などの信号に分離する。前記分離された上りリンク参照信号は、伝搬路推定部１１２２に入力される。前記分離されたＰＵＳＣＨ、ＰＵＣＣＨは、等化部１１２６に出力する。
【００６９】
伝搬路推定部１１２２は、上りリンク参照信号を用いて、周波数応答（または遅延プロファイル）を推定する。復調用に伝搬路推定された周波数応答結果は、等化部１１２６へ入力される。伝搬路推定部１１２２は、上りリンク参照信号を用いて、上りリンクのチャネル状況の測定（RSRP(Reference Signal Received Power)、RSRQ(Reference Signal Received Quality)、RSSI(Received Signal Strength Indicator)の測定）を行う。上りリンクのチャネル状況の測定は、ＰＵＳＣＨのためのＭＣＳの決定などに用いられる。
【００７０】
等化部１１２６は、伝搬路推定部１１２２より入力された周波数応答より伝搬路での影響を補償する処理を行う。補償の方法としては、ＭＭＳＥ重みやＭＲＣ重みを乗算する方法や、ＭＬＤを適用する方法等、既存のいかなる伝搬路補償を適用することができる。復調部１１２８は、予め決められている／制御部１０４から指示される変調方式の情報に基づき、復調処理を行う。
【００７１】
復号部１１３０は、予め決められている符号化率／制御部１０４から指示される符号化率の情報に基づいて、前記復調部の出力信号に対して復号処理を行う。復号部１１３０は、復号後のデータ（UL-SCHなど）を上位層処理部１０２に入力する。
【００７２】
図３は、本実施形態における端末装置２０の構成を示す概略ブロック図である。端末装置２０は、上位層処理部（上位層処理ステップ）２０２、制御部（制御ステップ）２０４、送信部（送信ステップ）２０６、送信アンテナ２０８、受信アンテナ２１０および受信部（受信ステップ）２１２を含んで構成される。
【００７３】
上位層処理部２０２は、媒体アクセス制御（ＭＡＣ）層、パケットデータ統合プロトコル（ＰＤＣＰ）層、無線リンク制御（ＲＬＣ）層、無線リソース制御（ＲＲＣ）層の処理を行なう。上位層処理部２０２は、自端末装置の各種設定情報の管理をする。上位層処理部２０２は、自端末装置がサポートしている端末装置の機能を示す情報（UE Capability
）を、送信部２０６を介して、基地局装置１０へ通知する。上位層処理部２０２は、UE CapabilityをＲＲＣシグナリングで通知する。
【００７４】
上位層処理部２０２は、ＤＬ−ＳＣＨ、ＢＣＨなどの復号後のデータを受信部２１２から取得する。上位層処理部２０２は、前記ＤＬ−ＳＣＨの誤り検出結果から、ＨＡＲＱ−ＡＣＫを生成する。上位層処理部２０２は、ＳＲを生成する。上位層処理部２０２は、ＨＡＲＱ−ＡＣＫ／ＳＲ／ＣＳＩ（ＣＱＩレポートを含む）を含むＵＣＩを生成する。また上位層処理部２０２は、ＤＭＲＳ構成情報が上位レイヤによって通知されている場合、ＤＭＲＳ構成に関する情報を制御部２０４に入力する。上位層処理部２０２は、前記ＵＣＩやＵＬ−ＳＣＨを送信部２０６に入力する。なお、上位層処理部２０２の機能の一部は、制御部２０４に含めてもよい。
【００７５】
制御部２０４は、受信部２１２を介して受信した下りリンク制御情報（ＤＣＩ）を解釈する。制御部２０４は、上りリンク送信のためのＤＣＩから取得したＰＵＳＣＨのスケジューリング／ＭＣＳインデックス／ＴＰＣ（Transmission Power Control）などに従って、送信部２０６を制御する。制御部２０４は、下りリンク送信のためのＤＣＩから取得したＰＤＳＣＨのスケジューリング／ＭＣＳインデックスなどに従って、受信部２１２を制御する。さらに制御部２０４は、下りリンク送信のためのＤＣＩに含まれるＤＭＲＳの周波数配置に関する情報と、上位層処理部２０２から入力されるＤＭＲＳ構成情報にしたがって、ＤＭＲＳの周波数配置を特定する。
【００７６】
送信部２０６は、符号化部（符号化ステップ）２０６０、変調部（変調ステップ）２０６２、上りリンク参照信号生成部（上りリンク参照信号生成ステップ）２０６４、上りリンク制御信号生成部（上りリンク制御信号生成ステップ）２０６６、多重部（多重ステッ
プ）２０６８、無線送信部（無線送信ステップ）２０７０を含んで構成される。
【００７７】
符号化部２０６０は、制御部２０４の制御に従って（ＭＣＳインデックスに基づいて算出される符号化率に従って）、上位層処理部２０２から入力された上りリンクデータ（UL-SCH）を畳み込み符号化、ブロック符号化、ターボ符号化等の符号化を行う。
【００７８】
変調部２０６２は、ＢＰＳＫ、ＱＰＳＫ、１６ＱＡＭ、６４ＱＡＭ、２５６ＱＡＭ等の制御部２０４から指示された変調方式／チャネル毎に予め定められた変調方式で、符号化部２０６０から入力された符号化ビットを変調する（ＰＵＳＣＨのための変調シンボルを生成する）。
【００７９】
上りリンク参照信号生成部２０６４は、制御部２０４の指示に従って、基地局装置１０を識別するための物理セル識別子（physical cell identity: PCI、Cell IDなどと称される）、上りリンク参照信号を配置する帯域幅、サイクリックシフト、ＤＭＲＳシーケンスの生成に対するパラメータの値、さらに周波数配置などを基に、予め定められた規則（式）で求まる系列を生成する。
【００８０】
上りリンク制御信号生成部２０６６は、制御部２０４の指示に従って、ＵＣＩを符号化、ＢＰＳＫ／ＱＰＳＫ変調を行い、ＰＵＣＣＨのための変調シンボルを生成する。
【００８１】
多重部２０６８は、制御部２０４からの上りリンクスケジューリング情報（ＲＲＣメッセージに含まれる上りリンクのためのＳＰＳにおける送信間隔、ＤＣＩに含まれるリソース割り当てなど）に従って、ＰＵＳＣＨのための変調シンボル、ＰＵＣＣＨのための変調シンボル、上りリンク参照信号を送信アンテナポート毎に多重する（つまり、各信号はリソースエレメントにマップされる）。
【００８２】
無線送信部２０７０は、多重された信号をＩＦＦＴ（Inverse Fast Fourier Transform）して、ＯＦＤＭシンボルを生成する。無線送信部２０７０は、前記ＯＦＤＭシンボルにＣＰを付加し、ベースバンドのディジタル信号を生成する。さらに、無線送信部２０７０は、前記ベースバンドのディジタル信号をアナログ信号に変換し、余分な周波数成分を除去し、アップコンバートにより搬送周波数に変換し、電力増幅し、送信アンテナ２０８を介して基地局装置１０に送信する。
【００８３】
受信部２１２は、無線受信部（無線受信ステップ）２１２０、多重分離部（多重分離ステップ）２１２２、伝搬路推定部（伝搬路推定ステップ）２１４４、等化部（等化ステップ）２１２６、復調部（復調ステップ）２１２８、復号部（復号ステップ）２１３０を含んで構成される。
【００８４】
無線受信部２１２０は、受信アンテナ２１０を介して受信した下りリンク信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部２１２０は、変換したディジタル信号からＣＰに相当する部分を除去し、ＣＰを除去した信号に対してＦＦＴを行い、周波数領域の信号を抽出する。
【００８５】
多重分離部２１２２は、前記抽出した周波数領域の信号を下りリンク参照信号、ＰＤＣＣＨ、ＰＤＳＣＨ、ＰＢＣＨに分離する。伝搬路推定部２１２４は、下りリンク参照信号（ＤＭ−ＲＳなど）を用いて、周波数応答（または遅延プロファイル）を推定する。復調用に伝搬路推定された周波数応答結果は、等化部１１２６へ入力される。伝搬路推定部２１２４は、下りリンク参照信号（ＣＳＩ−ＲＳなど）を用いて、上りリンクのチャネル状
況の測定（RSRP(Reference Signal Received Power)、RSRQ(Reference Signal Received Quality)、RSSI(Received Signal Strength Indicator)、SINR(Signal to Interference plus Noise power Ratio）の測定)を行う。下りリンクのチャネル状況の測定は、ＰＵＳ
ＣＨのためのＭＣＳの決定などに用いられる。下りリンクのチャネル状況の測定結果は、ＣＱＩインデックスの決定などに用いられる。
【００８６】
等化部２１２６は、伝搬路推定部２１２４より入力された周波数応答よりＭＭＳＥ規範に基づく等化重みを生成する。等化部２１２６は、多重分離部２１２２からの入力信号（ＰＵＣＣＨ、ＰＤＳＣＨ、ＰＢＣＨなど）に該等化重みを乗算する。復調部２１２８は、予め決められている／制御部２０４から指示される変調オーダーの情報に基づき、復調処理を行う。
【００８７】
復号部２１３０は、予め決められている符号化率／制御部２０４から指示される符号化率の情報に基づいて、前記復調部２１２８の出力信号に対して復号処理を行う。復号部２１３０は、復号後のデータ（DL-SCHなど）を上位層処理部２０２に入力する。
【００８８】
（第２の実施形態）
本実施形態では、ＰＤＣＣＨで送信されるＤＣＩフォーマットについて説明を行う。ＮＲの端末装置では、基地局装置の下りリンク制御信号生成部１０６４で生成され無線送信部１０７０から送信されるＤＣＩフォーマット１＿０やＤＣＩフォーマット１＿１等のＤＣＩフォーマットを復号し、得られた制御情報を制御部２０４あるいは上位層処理部２０２で用いる必要がある。ＵＲＬＬＣではデータ情報に加えてＰＤＣＣＨも誤り率が０．００００１以下を満たす必要があるため、ＤＣＩのフィールドを限定したＤＣＩフォーマット（コンパクトＤＣＩフォーマット）を適用することが考えられる。たとえばＭＣＳのビット数は、ＤＣＩフォーマット１＿０やＤＣＩフォーマット１＿１等では5ビットである
が、コンパクトＤＣＩフォーマットでは４ビット等に削減してもよい。また、コードワード数を１に限定したり、送信ランク数を限定してもよい。
【００８９】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【００９０】
なお、上述した実施形態における装置の一部、をコンピュータで実現するようにしても良い。その場合、実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであっても良い。
【００９１】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであって
も良く、さらに前述した機能をコンピュータシステムにすでに記録されているプログラムとの組み合わせで実現できるものであっても良い。
【００９２】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、ディジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【００９３】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【００９４】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【００９５】
本発明は、基地局装置、端末装置および通信方法に用いて好適である。
【符号の説明】
【００９６】
１０  基地局装置
２０  端末装置
１０ａ  基地局装置１０が端末装置と接続可能な範囲
１０２  上位層処理部
１０４  制御部
１０６  送信部
１０８  送信アンテナ
１１０  受信アンテナ
１１２  受信部
１０６０  符号化部
１０６２  変調部
１０６４  下りリンク制御信号生成部
１０６６  下りリンク参照信号生成部
１０６８  多重部
１０７０  無線送信部
１１２０  無線受信部
１１２２  伝搬路推定部
１１２４  多重分離部
１１２６  等化部
１１２８  復調部
１１３０  復号部
２０２  上位層処理部
２０４  制御部
２０６  送信部
２０８  送信アンテナ
２１０  受信アンテナ
２１２  受信部
２０６０  符号化部
２０６２  変調部
２０６４  上りリンク参照信号生成部
２０６６  上りリンク制御信号生成部
２０６８  多重部
２０７０  無線送信部
２１２０  無線受信部
２１２２  多重分離部
２１２４  伝搬路推定部
２１２６  等化部
２１２８  復調部
２１３０  復号部
【図１】
2019186673.tif 000003
【図２】
2019186673.tif 000004
【図３】
2019186673.tif 000005
【図４】
2019186673.tif 000006
【図５】
2019186673.tif 000007
【図６】
2019186673.tif 000008
【図７】
2019186673.tif 000009
【図８】
2019186673.tif 000010
【図９】
2019186673.tif 000011
【図１０】
2019186673.tif 000012